(57)【要約】【課題】  水切れにより植木鉢の植物を枯らしてしまうのを防止できると共に、貯水タンクに対する水の補給も容易である植木鉢用底面給水タンクの提供である。【解決手段】  貯水タンクＡ1 と、当該貯水タンクＡ1 に支持された貯水機能を備えた鉢支持容器Ｂ1 とから成り、前記鉢支持容器Ｂ1 の周壁部４における底面よりも僅かに上方の部分には、せき機能を備えたスリット６が周方向に形成されて、当該鉢支持容器Ｂ1 における当該スリット６よりも下方の部分は貯水部Ｗ2 となっており、前記スリット６に挿通された帯状の給水部材Ｃ1 が、前記貯水タンクＡ1 及び前記鉢支持容器Ｂ1 の各貯水部Ｗ1 ，Ｗ2 の間に亘って配置された構成とする。【選択図】  図３
2010268717.tif 000002
【特許請求の範囲】
【請求項１】
植木鉢に給水する水を貯留させるための貯水タンクと、当該貯水タンクにその開口を覆うようにして当該貯水タンクに支持されて、底部に一定量の水が貯水可能であると共に、前記植木鉢を支持可能な貯水機能を備えた鉢支持容器とから成り、
前記鉢支持容器の周壁部における底面よりも僅かに上方の部分には、当該鉢支持容器内に注がれた余剰の水を前記貯水タンクに排水させられるスリットが周方向に形成されて、当該鉢支持容器における当該スリットよりも下方の部分は貯水部となっており、
前記スリットに挿通された帯状の給水部材が、前記貯水タンク、及び前記鉢支持容器の各貯水部の間に亘って配置され、
前記給水部材の毛細管現象により、前記貯水タンク、及び前記鉢支持容器の各貯水部の間で相互に浸透通水可能にして、前記鉢支持容器の底部を常時湿潤状態に保持することにより、当該鉢支持容器に支持された植木鉢に対して底面給水を行えるように構成したことを特徴とする植木鉢用底面給水タンク。
【請求項２】
植木鉢に給水する水を貯留させるための貯水タンクと、当該貯水タンクにその開口を覆うようにして当該貯水タンクに支持されて、底部に一定量の水が貯水可能であると共に、前記植木鉢を支持可能な貯水機能を備えた鉢支持容器とから成り、
前記鉢支持容器の底壁部には、当該鉢支持容器に注がれた余剰の水を排水可能な排水筒部が底面から僅かに上方に突出した状態で、当該底壁部を貫通して設けられて、当該鉢支持容器における前記排水筒部の上端の排水口よりも下方の部分は貯水部となっており、
前記排水筒部における鉢支持容器の底部から上方に突出した部分にスリットが形成され、当該スリットに隙間なく挿通された給水部材は、前記排水筒部内に挿通されて、前記貯水タンク、及び前記鉢支持容器の各貯水部の間に亘って配置され、
前記給水部材の毛細管現象により、前記貯水タンク、及び前記鉢支持容器の各貯水部の間で相互に浸透通水可能にして、前記鉢支持容器の底部を常時湿潤状態に保持することにより、当該貯水タンクに支持された植木鉢に対して底面給水を行えるように構成したことを特徴とする植木鉢用底面給水タンク。
【請求項３】
前記鉢支持容器の周壁部における前記スリットとほぼ同一高さの部分に、当該鉢支持容器に収容された余剰の水を前記貯水タンクに流出させるための多数の排水孔が形成されていることを特徴とする請求項１又は２に記載の植木鉢用底面給水タンク。
【請求項４】
植木鉢に給水する水を貯留させるための貯水タンクと、当該貯水タンクにその開口を覆うようにして当該貯水タンクに支持されて、底部に一定量の水が貯水可能であると共に、前記植木鉢を支持可能な貯水機能を備えた鉢支持容器とから成り、
前記鉢支持容器の周壁部における底面に近接した部分には、給水部材を隙間なく挿通可能なスリットが周方向に形成されていると共に、当該鉢支持容器の周壁部における底面よりも僅かに上方の部分には、周方向に沿って多数の排水孔が形成されて、当該鉢支持容器における当該排水孔よりも下方の部分は貯水部となっており、
前記スリットに挿通された帯状の給水部材は、前記貯水タンク、及び前記鉢支持容器の各貯水部の間に亘って配置され、
前記給水部材の毛細管現象により、前記貯水タンク、及び前記鉢支持容器の各貯水部の間で相互に浸透通水可能にして、前記鉢支持容器の底部を常時湿潤状態に保持することにより、当該鉢支持容器に支持された植木鉢に対して底面給水を行えるように構成したことを特徴とする植木鉢用底面給水タンク。
【請求項５】
前記貯水タンクの下半部及び上半部は、それぞれ截頭円錐状及び截頭逆円錐状になっていて、当該貯水タンクの上半部に鉢支持容器を収容支持して、当該鉢支持容器に植木鉢を収容支持した状態で、当該鉢支持容器及び植木鉢は、その全てが貯水タンク内の上半部に収容されることを特徴とする請求項１ないし４のいずれかに記載の植木鉢用底面給水タンク。
【請求項６】
前記貯水タンクには平面部が形成されて、当該平面部に装着された吸盤を介して窓ガラス類に側面吊下げ状態で支持可能であることを特徴とする請求項１ないし５のいずれかに記載の植木鉢用底面給水タンク。
【請求項７】
前記貯水タンクと鉢支持容器とは、当該鉢支持容器の底壁部に形成された排水筒部の部分を除いて密閉構造になっていることを特徴とする請求項１ないし６のいずれかに記載の植木鉢用底面給水タンク。
【発明の詳細な説明】
【技術分野】
【０００１】
本発明は、給水の手間を極力少なくして、水切れにより植木鉢の植物を不用意に枯らしてしまうのを防止可能な植木鉢用底面給水タンクに関するものである。
【背景技術】
【０００２】
底面から給水する構造の植木鉢は、種々出願されている（特許文献１，２）。例えば、特許文献１には、貯水可能な容器部の開口が蓋部で閉塞されて、当該蓋部に植木鉢が支持される底面給水鉢が開示されている。前記蓋部の中央部に下方に突出した形態で一体に設けられた管部を通して通水部材が容器部内に垂れ下げられて、植木鉢には、前記通水部材を介して底面から給水される構成である。しかし、この底面給水鉢を構成する通水部材は、蓋部の底部に形成された貫通孔を通して配置されて、毛細管現象により、容器部内の水を植木鉢に供給する方向のみに通水が行われて、その逆方向の水の流れはないと共に、その蓋部は、単に植木鉢を支持する機能を有するのみであって、貯水機能は有していない。このため、毛細管現象が十分でない場合には、通水部材における植木鉢の側に近い部分は乾燥されて通水不能となり、容器部に水が残存しているにもかかわらず、植木鉢の底部に水が供給されないために、植木鉢の植物を枯らしてしまうことがある。
【０００３】
また、特許文献２の底面給水鉢は、鉢皿に保水パットが配置されて、給水芯により貯水皿５から給水された水を前記保水パットに保水させる構成であるが、特許文献１と同様に、給水芯は、鉢皿の底部を貫通して植木鉢の底部に達していると共に、鉢皿は、単に植木鉢を支持する機能を有するのみであって、水を貯水する機能を有していない。従って、特許文献２においても、保水パットを備えているものの、毛細管現象により給水芯内を流れる水の方向は、上方に向かう方向のみであって、その逆の流れはないので、給水芯の上端部が過度に乾燥されて、給水が停止されてしまうことがある。また、貯水皿に水を補給して貯水するには、当該貯水皿から鉢皿を給水の都度、取り外す必要があるため、貯水皿に対する水の補給作業も面倒である。
【先行技術文献】
【特許文献】
【０００４】
【特許文献１】実用新案登録第３０４８２９９号公報
【特許文献２】実用新案登録第３０３５１１２号公報
【発明の概要】
【発明が解決しようとする課題】
【０００５】
本発明は、給水の手間を極力少なくして、水切れにより植木鉢の植物を枯らしてしまうのを防止できると共に、貯水タンクに対する水の補給も容易である植木鉢用底面給水タンクの提供を課題としている。
【課題を解決するための手段】
【０００６】
上記の課題を解決するための請求項１の発明は、植木鉢に給水する水を貯留させるための貯水タンクと、当該貯水タンクにその開口を覆うようにして当該貯水タンクに支持されて、底部に一定量の水が貯水可能であると共に、前記植木鉢を支持可能な貯水機能を備えた鉢支持容器とから成り、前記鉢支持容器の周壁部における底面よりも僅かに上方の部分には、当該鉢支持容器内に注がれた余剰の水を前記貯水タンクに排水させられるスリットが周方向に形成されて、当該鉢支持容器における当該スリットよりも下方の部分は貯水部となっており、前記スリットに挿通された帯状の給水部材が、前記貯水タンク、及び前記鉢支持容器の各貯水部の間に亘って配置され、前記給水部材の毛細管現象により、前記貯水タンク、及び前記鉢支持容器の各貯水部の間で相互に浸透通水可能にして、前記鉢支持容器の底部を常時湿潤状態に保持することにより、当該鉢支持容器に支持された植木鉢に対して底面給水を行えるように構成したことを特徴としている。
【０００７】
請求項１の発明によれば、植木鉢を支持する鉢支持容器の周壁部における底壁部よりも僅かに上方の部分にスリットが周方向に形成されている。このスリットは、帯状の給水部材を挿通させる機能と、当該スリットを超えて鉢支持容器に注がれた水を排出させて貯水タンクに収容させることにより、鉢支持容器の底部に最高位でスリットの位置まで水を貯水する「せき」としての機能とを有する。従って、鉢支持容器は、スリットの位置を最高水位とする貯水機能を備えている。
【０００８】
このため鉢支持容器の底部に貯水されている場合には、スリットに挿通された帯状の給水部材が、貯水タンク、及び鉢支持容器の各貯水部の間に配置されることにより、貯水タンク、及び鉢支持容器の各貯水部の間において相互に浸透通水可能となって、鉢支持容器の底部は、常に湿潤状態を維持できる。即ち、鉢支持容器の底部に十分な水が貯水されて、帯状の給水部材における鉢支持容器の底面に配置される部分の含水量が飽和に達した状態では、鉢支持容器の底部に貯水された水は、毛細管現象により給水部材を通して貯水タンクの側に排水される。逆に、鉢支持容器の底部の貯水量が少なくなって、当該部分に配置された給水部材の含水量が少なくなった場合には、上記と逆に、毛細管現象により貯水タンクの水が給水部材を通して鉢支持容器の側に供給されて、鉢支持容器の底部に貯水される。このように、鉢支持容器は、スリットの位置を最高水位とする水を貯水できるので、鉢支持容器の周壁部における底部に近い部分に形成されたスリットに挿通されて、貯水タンク、及び鉢支持容器の各貯水部の間に配置された給水部材を介して、貯水タンクの貯水部と鉢支持容器の貯水部との間で相互に通水可能な構成であって、鉢支持容器の底部は常に湿潤状態を維持できるため、貯水タンクの底部に水が貯水されている限り、給水部材が乾燥されて、植木鉢の植物に対する底面給水が不能となることはない。従って、水切れにより植木鉢の植物を枯らしてしまうことはない。
【０００９】
一方、貯水タンクに水を補給する場合には、鉢支持容器に支持されている植木鉢を取り除いて、当該鉢支持容器に水を注いで、その周壁部に形成されたスリットを超えた場合には、当該スリットから排水されて貯水タンク内に貯水される。従って、貯水タンクに水を補給する際には、貯水タンクの開口を覆うようにして当該貯水タンクに支持されている鉢支持容器を取り外す必要はないので、貯水タンクに対する水の補給が容易となる。
【００１０】
また、請求項２の発明は、植木鉢に給水する水を貯留させるための貯水タンクと、当該貯水タンクにその開口を覆うようにして当該貯水タンクに支持されて、底部に一定量の水が貯水可能であると共に、前記植木鉢を支持可能な貯水機能を備えた鉢支持容器とから成り、前記鉢支持容器の底壁部には、当該鉢支持容器に注がれた余剰の水を排水可能な排水筒部が底面から僅かに上方に突出した状態で、当該底壁部を貫通して設けられて、当該鉢支持容器における前記排水筒部の上端の排水口よりも下方の部分は貯水部となっており、前記排水筒部における鉢支持容器の底部から上方に突出した部分にスリットが形成され、当該スリットに隙間なく挿通された給水部材は、前記排水筒部内に挿通されて、前記貯水タンク、及び前記鉢支持容器の各貯水部の間に亘って配置され、前記給水部材の毛細管現象により、前記貯水タンク、及び前記鉢支持容器の各貯水部の間で相互に浸透通水可能にして、前記鉢支持容器の底部を常時湿潤状態に保持することにより、当該貯水タンクに支持された植木鉢に対して底面給水を行えるように構成したことを特徴としている。
【００１１】
請求項２の発明は、鉢支持容器の底壁部に、当該底壁部を貫通して排水筒部が一体に形成されて、当該排水筒部の上端開口を超えて当該鉢支持容器に補給された水は、当該排水筒部を通って貯水タンクに流出して貯水されると共に、排水筒部の上端開口を最高水位として、鉢支持容器の底部に水を貯水でき、しかも、排水筒部における鉢支持容器の底面から上方に突出した部分にスリットが形成されて、当該スリット及び前記排水筒部内に給水部材が挿通されていて、外部から給水部材が認識されないので、見栄えがよくなる。他の毛細管現象による基本的な給水作用は、請求項１の発明と同一である。
【００１２】
また、請求項３の発明は、請求項１又は２の発明において、前記鉢支持容器の周壁部における前記スリットとほぼ同一高さの部分に、当該鉢支持容器に収容された余剰の水を前記貯水タンクに流出させるための多数の排水孔が形成されていることを特徴としている。
【００１３】
請求項３の発明によれば、鉢支持容器の周壁部のスリットと同一高さの部分に周方向に沿って多数の排水孔が形成されているので、貯水タンクに水を補給する際に、鉢支持容器に注がれた水は、多数の排水孔、及びスリットを通して外部に流出して貯水タンクに収容されるので、貯水タンクに対する水の補給を短時間に行える。
【００１４】
また、請求項４の発明は、植木鉢に給水する水を貯留させるための貯水タンクと、当該貯水タンクにその開口を覆うようにして当該貯水タンクに支持されて、底部に一定量の水が貯水可能であると共に、前記植木鉢を支持可能な貯水機能を備えた鉢支持容器とから成り、前記鉢支持容器の周壁部における底面に近接した部分には、給水部材を隙間なく挿通可能なスリットが周方向に形成されていると共に、当該鉢支持容器の周壁部における底面よりも僅かに上方の部分には、周方向に沿って多数の排水孔が形成されて、当該鉢支持容器における当該排水孔よりも下方の部分は貯水部となっており、前記スリットに挿通された帯状の給水部材は、前記貯水タンク、及び前記鉢支持容器の各貯水部の間に亘って配置され、前記給水部材の毛細管現象により、前記貯水タンク、及び前記鉢支持容器の各貯水部の間で相互に浸透通水可能にして、前記鉢支持容器の底部を常時湿潤状態に保持することにより、当該鉢支持容器に支持された植木鉢に対して底面給水を行えるように構成したことを特徴としている。
【００１５】
請求項４の発明は、鉢支持容器の周壁部における底面に近接した部分にスリットが周方向に形成されて、給水部材は当該スリットに隙間なく挿通されているため、当該スリットは排水機能を備えておらず、鉢支持容器に注がれた余剰の水の排水は、鉢支持容器の周壁部における前記スリットよりも高い位置に設けられた多数の排水孔を通して行われる点において、請求項１の発明と異なるが、その他の作用は請求項１の発明と同一である。
【００１６】
また、請求項５の発明は、請求項１ないし４のいずれかの発明において、前記貯水タンクの下半部及び上半部は、それぞれ截頭円錐状及び截頭逆円錐状になっていて、当該貯水タンクの上半部に鉢支持容器を収容支持して、当該鉢支持容器に植木鉢を収容支持した状態で、当該鉢支持容器及び植木鉢は、その全てが貯水タンク内の上半部に収容されることを特徴としている。
【００１７】
請求項５の発明によれば、鉢支持容器、及び植木鉢の全ての部分が貯水タンクの上半部に収容されて、貯水タンクのみが認識される結果、植木鉢と貯水タンクと鉢支持容器の３つの容器又はタンクが、恰も１つのように認識されて、外観がすっきりする。
【００１８】
また、請求項６の発明は、請求項１ないし５のいずれかの発明において、前記貯水タンクには平面部が形成されて、当該平面部に装着された吸盤を介して窓ガラス類に側面吊下げ状態で支持可能であることを特徴としている。
【００１９】
請求項６の発明によれば、窓ガラス類に対して貯水タンクを側面吊下げ状態で支持可能となって、従来利用されていなかった窓ガラス類に近接した空間部に植木鉢を配置することが可能となる。
【００２０】
また、請求項７の発明は、請求項１ないし６のいずれかの発明において、前記貯水タンクと鉢支持容器とは、当該鉢支持容器の底壁部に形成された排水筒部の部分を除いて密閉構造になっていることを特徴としている。
【００２１】
請求項７の発明によれば、植木鉢を収容した底面給水タンクが多少傾斜しても、貯水タンクに貯留された水が排水筒部を通って流出することはないので、そのまま植木鉢の植物に対して底面給水を継続できるため、当該植物が水切れにより枯れることがなくなる。このため、貯水タンクに水が貯留されたままの状態で、底面給水タンクに収容された植木鉢の植物を店頭販売したり、輸送したりできる。また、底面給水タンクが横転した場合でも、貯水タンク内の水が流出することはない。
【発明の効果】
【００２２】
本発明を構成する鉢支持容器は、スリットの位置を最高水位とする水を貯水できるので、鉢支持容器の周壁部における底部に近い部分に形成されたスリットに挿通されて、貯水タンクの貯水部と鉢支持容器の底面との間に配置された給水部材を介して、貯水タンクの貯水部と鉢支持容器の底部との間で相互に通水可能な構成であって、鉢支持容器の底部は常に湿潤状態を維持できるため、貯水タンクに水が貯水されている限り、給水部材が乾燥されて、植木鉢の植物に対する底面給水が不能となることはないので、水切れにより植木鉢の植物を不用意に枯らしてしまうことはない。
【００２３】
また、貯水タンクに水を補給する場合には、鉢支持容器に支持されている植木鉢を取り除いて、当該鉢支持容器に水を補給して、その周壁部に形成されたスリットを超えた場合には、当該スリットを通して流出して貯水タンク内に貯水されるため、貯水タンクに水を補給する際には、貯水タンクの開口を覆うようにして当該貯水タンクに支持されている鉢支持容器を取り外す必要はないので、貯水タンクに対する水の補給が容易となる。
【図面の簡単な説明】
【００２４】
【図１】実施例１の底面給水タンクＨ1 の分離状態の斜視図である。
【図２】貯水タンクＡ1 に収容支持された鉢支持容器Ｂ1 内に水を注いで貯水タンクＡ1 に水を補給している状態の断面図である。
【図３】植木鉢Ｋに対して底面給水されている状態の断面図である。
【図４】実施例２の底面給水タンクＨ2 の使用状態の断面図である。
【図５】実施例３の底面給水タンクＨ3 の分離状態の断面図である。
【図６】同じく使用状態の断面図である。
【図７】底面給水タンクＨ4 を介して植木鉢Ｋが窓ガラスＧに側面支持されて吊り下げられた状態の斜視図である。
【図８】同じく断面図である。
【図９】実施例５の底面給水タンクＨ5 の断面図である。
【図１０】底面給水タンクＨ5 の傾斜状態の断面図である。
【図１１】底面給水タンクＨ5 の横転状態の断面図である。
【発明を実施するための形態】
【００２５】
以下、最良の実施例を挙げて、本発明について更に詳細に説明する。
【実施例１】
【００２６】
図１は、実施例１の底面給水タンクＨ1 の分離状態の斜視図であり、図２は、貯水タンクＡ1 に収容支持された鉢支持容器Ｂ1 内に水を注いで貯水タンクＡ1 に水を補給している状態の断面図であり、図３は、植木鉢Ｋに対して底面給水されている状態の断面図である。なお、図２及び図３を含めて全ての断面図は、不要線を少なくして理解し易くするために端面表示してある。図１ないし図３において、底面給水タンクＨ1 は、外径が６０ｍｍ程度の小型の植木鉢Ｋに対して給水するものであって、当該植木鉢Ｋに対して底面から給水する水を貯めるための貯水タンクＡ1 と、当該貯水タンクＡ1 にその開口を塞ぐ形態で支持される鉢支持容器Ｂ1 とで構成される。貯水タンクＡ1 の略下半部及び略上半部は、それぞれ截頭円錐状の貯水タンク部１及び截頭逆円錐状の鉢支持容器収容部２となっていて、高さ方向の略中央部の外径が最も小さくなっている。貯水タンクＡ1 の貯水タンク部１は、截頭円錐状であるために貯水量を大きく確保できると共に、設置状態における安定性が高まる。
【００２７】
鉢支持容器Ｂ1 は、内部に植木鉢Ｋの全体を収容可能な緩やかな截頭逆円錐状をなしていて、上端部には、貯水タンクＡ1 の鉢支持容器収容部２に収容した状態において、当該鉢支持容器収容部２に引っ掛けられて、吊下げ状態で支持可能とする鍔部３が外側に向けて設けられている。鉢支持容器Ｂ1 の周壁部４における底壁部５に近い部分には、帯状の給水部材Ｃ1 を挿通可能なスリット６が周方向に沿って形成されている。スリット６は、給水部材Ｃ1 を挿通させる機能と、貯水タンクＡ1 に鉢支持容器Ｂ1 を収容支持した状態で、当該貯水タンクＡ1 に補給された水を排出させて貯水タンクＡ1 に収容させる「せき」としての機能とを有している。従って、スリット６の幅及び長さは、当該スリット６に給水部材Ｃ1 を挿通した状態において、少なくとも幅方向に排水可能な残存空隙部６ａ（図１参照）が残存するような寸法になっている。また、貯水タンクＡ1 の周壁部４における前記スリット６とほぼ同一高さの部分には、周方向に沿って所定間隔をおいて多数の排水孔７が設けられている。排水孔７は、前記スリット６の残存空隙部６ａと同様に、鉢支持容器Ｂ1 に注がれた水を排水させて貯水タンクＡ1 に貯留させる機能を果す。鉢支持容器Ｂ1 は、植木鉢Ｋの全体を収容可能な大きさである。
【００２８】
鉢支持容器Ｂ1 のスリット６に挿通される帯状の給水部材Ｃ1 は、給水した水を毛細管現象により送ることが可能なものであれば、材質は制限されないが、典型例としては、給水性の高い布、化学繊維等が挙げられる。図１に示されるように、帯状の給水部材Ｃ1 は、鉢支持容器Ｂ1 の底面の大部分を覆うように配置されることにより、植木鉢Ｋに収容された養土Ｓと当該給水部材Ｃ1 との間に、後述する多数の「水道」が形成されるようにしてある。
【００２９】
そして、貯水タンクＡ1 に対して初期に水を供給する場合、及び当該貯水タンクＡ1 の貯水量が減ったために水を補強する場合のいずれにおいても、図２に示されるように、貯水タンクＡ1 に鉢支持容器Ｂ1 を収容支持させた状態において、当該鉢支持容器Ｂ1 に水を注げばよい。これにより、スリット６及び多数の排水孔７の位置を超えて注がれた水は、スリット６の残存空隙部６ａ及び多数の排水孔７から排出されて、貯水タンクＡ1 に貯水されると共に、鉢支持容器Ｂ1 には、スリット６及び多数の排水孔７の位置を水位として貯水される。この状態で、鉢支持容器Ｂ1 に植木鉢Ｋを収容支持させると、鉢支持容器Ｂ1 の底部に貯水されていた水の一部は、前記スリット６及び多数の排水孔７を通して排水されて、当該スリット６及び多数の排水孔７の位置を水位としてそのまま貯水される。
【００３０】
この結果、図３に示されるように、植木鉢Ｋの底部は、鉢支持容器Ｂ1 の底部の貯水内に部分的に水没されると共に、鉢支持容器Ｂ1 のスリット６に挿通された帯状の給水部材Ｃ1 は、貯水タンクＡ1 の貯水部（貯水タンクＡ1 に収容された水を指す）Ｗ1 と前記鉢支持容器Ｂ1 の底部の貯水部Ｗ2 との間に配置される。このように、貯水タンクＡ1 に水を補給した当初より、給水部材Ｃ1 の両端部は、いずれも貯水部Ｗ1 ，Ｗ2 内に浸漬されて、当該給水部材Ｃ1 の全部分が乾燥されることなく湿潤状態を保持していて、給水部材Ｃ1 における鉢支持容器Ｂ1 内に配置されている部分（鉢支持容器内配置部分）Ｃ1aの含水量が少なくなると、貯水タンクＡ1 の貯水部Ｗ1 から毛細管現象により給水されるため、給水部材Ｃ1 の鉢支持容器内配置部分Ｃ1aが過度に乾燥されなくなる。また、給水部材Ｃ1 における鉢支持容器Ｂ1 内に配置されている部分の含水量が飽和に達した場合には、毛細管現象により当該給水部材Ｃ1 の内部において貯水タンクＡ1 の側に向かう水の流れが発生して、給水部材Ｃ1 における最も乾燥され易い空中露出部分Ｃ1bに給水されて、当該給水部材Ｃ1 の全体が常に湿潤状態を保持する。
【００３１】
この結果、給水部材Ｃ1 の鉢支持容器内配置部分Ｃ1aと植木鉢Ｋに収容された養土Ｓとの間に形成される水の通路である「水道」が常に確保されて、乾燥により消滅することはない。この「水道」は、乾燥により一旦消滅すると、そのままでは再現されないので、植木鉢の植物は水切れにより枯れてしまうが、本発明によれば、鉢支持容器Ｂ1 の底部が貯水可能な構造になっているために、前記「水道」は常に保持されていて、消滅することはない。このため、貯水タンクＡ1 に水が残存している限り、給水部材Ｃ1 の鉢支持容器内配置部分Ｃ1aが過度に乾燥されなくなって、水切れにより植木鉢Ｋの植物Ｐが枯れることがなくなる。ここで、植木鉢Ｋは、底面給水を良好ならしめるために、図示のように支持脚を有せずに、底壁部が直接に給水部材Ｃ1 の鉢支持容器内配置部分Ｃ1aに密着する「ビニール製ポット」と称されるものが望ましい。また、仮に支持脚を有する場合には、当該支持脚は極力短いものが望ましい。なお、図１ないし図３において、８は、植木鉢Ｋの底部に形成された多数の通水孔を示す。
【００３２】
実施例１の底面給水タンクＨ1 は、植木鉢Ｋの全体が鉢支持容器Ｂ1 を介して貯水タンクＡ1 内に収容されて当該植木鉢Ｋが認識されず、恰も底面給水タンクＨ1 が植木鉢のように認識される。このため、植木鉢Ｋを含む３つの容器又はタンクが恰も１つの容器のように認識されることにより外観がすっきりして、見栄えが良くなる。
【実施例２】
【００３３】
実施例２の底面給水タンクＨ2 は、図４に示されるように、植木鉢Ｋに対して僅かに相似大形の貯水タンクＡ2 と、当該貯水タンクＡ2 の開口を塞ぐように当該貯水タンクＡ2 に保持されて、植木鉢Ｋの下端部のみを収容して支持する鉢支持容器Ｂ2 とから成る。貯水タンクＡ2 の貯水機能、並びに鉢支持容器Ｂ2 の鉢支持機能、排水機能、及び貯水機能は、実施例１の貯水タンクＡ1 及び鉢支持容器Ｂ1 とほぼ同一である。実施例２の底面給水タンクＨ2 は、当該底面給水タンクＨ2 と植木鉢Ｋとがそれぞれ個別に認識される。
【実施例３】
【００３４】
実施例３の底面給水タンクＨ3 は、図５及び図６に示されるように、実施例１の貯水タンクＡ1 と同一の貯水タンクＡ3 と、底壁部５の中央部に排水筒部１１が一体に設けられた鉢支持容器Ｂ3 とから成る。排水筒部１１は、鉢支持容器Ｂ3 の底面から上方に所定長だけ突出していて、排水筒部１１における上方突出部１１ａに、帯状の給水部材Ｃ3 を隙間なく挿通するためのスリット１２が形成され、当該スリット１２に挿通された給水部材Ｃ3 は、貯水タンクＡ3 の貯水部Ｗ1 と鉢支持容器Ｂ3 の底面との間に配置される。スリット１２に給水部材Ｃ3 が挿通された状態において、当該スリット１２の部分には残存隙間は形成されていない。植木鉢Ｋ’の底部には、鉢支持容器Ｂ3 の排水筒部１１の上方突出部１１ａを収容可能な凹部１３が形成されている。なお、鉢支持容器Ｂ3 は、実施例１と同様に、植木鉢Ｋ’の全体を収容できる大きさを有している。
【００３５】
実施例３の底面給水タンクＨ3 においては、貯水タンクＡ3 に鉢支持容器Ｂ3 を収容保持させた状態で、当該鉢支持容器Ｂ3 に水を注ぐと、排水筒部１１の上端を超える余剰の水は、当該排水筒部１１を通って貯水タンクＡ3 内に排水され、鉢支持容器Ｂ3 には、排水筒部１１の上端を最高水位とする水を貯水でき、給水部材Ｃ3 の一端部（上端部）を鉢支持容器Ｂ3 の底面に配置することにより、当該給水部材Ｃ3 の一端部は、鉢支持容器Ｂ3 の貯水部Ｗ2 に浸漬される。給水部材Ｃ3 の給水作用、及び当該給水部材Ｃ3 の一端部（上端部）と、植木鉢Ｋ’の養土Ｓとの間に形成される「水道」が乾燥により消滅しないことは、実施例１と同様である。
【実施例４】
【００３６】
実施例４の底面給水タンクＨ4 は、図７及び図８に示されるように、窓ガラスＧに装着可能な構造である。底面給水タンクＨ4 は、横断面視で文字「Ｕ」の開口が閉塞されて平面部２１が形成された形状の貯水タンクＡ4 と、当該貯水タンクＡ4 の開口を塞ぐように当該貯水タンクＡ4 に収容支持される鉢支持容器Ｂ4 とから成る。貯水タンクＡ4 の平面部２１の上端部には、窓ガラスＧに対して吸着可能な吸盤２２が一体に取付けられている。鉢支持容器Ｂ4 は、実施例１の鉢支持容器Ｂ1 と異なって、周壁部４における底面に近接した部分に帯状の給水部材Ｃ4 を隙間なく挿通可能な幅を有するスリット２３が周方向に設けられている。このため、スリット２３は、実施例１の鉢支持容器Ｂ1 のスリット６と異なって、「せき」としては機能しない。このため、貯水タンクＡ4 に水を補給する際に、当該貯水タンクＡ4 に鉢支持容器Ｂ4 が収容支持された状態で行う場合には、当該鉢支持容器Ｂ4 に注がれた水は、その周壁部４における底壁部５に近い部分に周方向に沿って形成された排水孔７から排水されて、貯水タンクＡ4 に貯留される。
【００３７】
このため、図７及び図８に示されるように、貯水タンクＡ4 に全体が収容支持された鉢支持容器Ｂ4 に植木鉢Ｋを収容保持させて、貯水タンクＡ4 の平面部２１に取付けられた吸盤２２を介して当該貯水タンクＡ4 を窓ガラスＧに吸着させて、窓ガラスＧに近い空間部に配置された植木鉢Ｋの植物Ｐを鑑賞する。このように、実施例４の底面給水タンクＨ4 は、従来使用されていなかった窓ガラスＧ、壁面等に近接した空間部に植木鉢Ｋが配置可能となる。また、外観上は貯水タンクＡ4 のみが植木鉢のように認識されて、当該貯水タンクＡ4 に全体が収容されている鉢支持容器Ｂ4 及び植木鉢Ｋは、殆ど認識されないので、全体がすっきりした感じとなって美観が増す。なお、上記のように、吸盤２２を介して貯水タンクＡ4 を窓ガラスＧ等の平面部に吸着させて、植木鉢Ｋを支持できるのは、当該植木鉢Ｋが小型で軽量であるからである。なお、図５、図６及び図８において、Ｃ3a, Ｃ4aは、給水部材Ｃ3 ，Ｃ4 の鉢支持容器内配置部分を示し、Ｃ3b, Ｃ4bは、給水部材Ｃ3 ，Ｃ4 の空中露出部分を示す。
【実施例５】
【００３８】
実施例５の底面給水タンクＨ5 は、図９〜図１１に示されるように、使用時又は取扱時において、傾斜又は横転しても、貯水タンクＡ5 に貯留された水が流出しない点に特徴を有する。底面給水タンクＨ5 は、高さ方向の中央部が最も大きな外径を有するだるま状の貯水タンクＡ5 と、当該貯水タンクＡ5 の内部に全体が収容された形態で当該貯水タンクＡ5 と一体に形成された鉢支持容器Ｂ5 とから成る。貯水タンクＡ5 と鉢支持容器Ｂ5 の上端部は一体となっていて密封されている。鉢支持容器Ｂ5 の底壁部５”の中央部には、排水筒部３１’が上下の両方向に突出することにより、当該底壁部５”を貫通した形態で一体に設けられていて、実施例３の底面給水タンクＨ3 と同様に、前記排水筒部３１’の上方突出部３１ａ’に設けられたスリット３２に給水部材Ｃ5 が隙間なく挿通されて、当該給水部材Ｃ5 の両端部は、貯水タンクＡ5 及び鉢支持容器Ｂ5 の各貯水部Ｗ1 ，Ｗ2 内に配置される。排水筒部３１’の底壁部５”よりも下方への突出長は僅かである。特に、実施例５の底面給水タンクＨ5 は、貯水タンクＡ5 がだまる状になっているために、当該貯水タンクＡ5 の周壁部３３と鉢支持容器Ｂ5 の周壁部４”とで形成される空間部は、底面給水タンクＨ5 が傾斜したり、或いは横転した場合において、貯水タンクＡ5 に貯留された水が流動して貯留されるために貯水空間部３４として機能する点に特徴を有する。なお、鉢支持容器Ｂ5 の周壁部４”には、排水孔は明けられていないので、貯水タンクＡ5 に水を新規に供給、或いは補給するには、鉢支持容器Ｂ5 に供給された水が排水筒部３１’を通して貯水タンクＡ5 内に排水されることにより行われる。
【００３９】
このため、図１０及び図１１に示されるように、底面給水タンクＨ5 が傾斜したり、或いは横転しても、貯水タンクＡ5 に貯留された水の一部は前記貯水空間部３４に流動して、排水筒部３１’から漏れ出ることはなく、底面給水タンクＨ5 が傾斜姿勢の場合は、その状態で植木鉢Ｋの植物Ｐに対して底面給水を継続して行えるため、植物Ｐが水枯れしなくなる。
【００４０】
このため、売店において底面給水タンクＨ5 に水が収容されたまま鉢物（植木鉢Ｋの植物Ｐ）の販売を行えると共に、輸送時においても貯水タンクＡ5 内の水が流出しないので、底面給水タンクＨ5 により底面給水状態の鉢物の輸送を安心して行えると共に、輸送途中において、底面給水タンクＨ5 が多少傾斜しても、継続して底面給水が行われるので、輸送途中において鉢物が枯れることはない。
【００４１】
なお、実施例１，２の鉢支持容器Ｂ1 ，Ｂ2 では、せき機能を備えたスリット６と多数の排水孔７との併用により、当該鉢支持容器Ｂ1 ，Ｂ2 に注がれた水を排水させると共に、実施例３，４の鉢支持容器Ｂ3 ，Ｂ4 では、周壁部４に形成された多数の排水孔７のみにより、当該鉢支持容器Ｂ3 ，Ｂ4 に注がれた水を排水させているが、せき機能を備えたスリットの残存空隙部が大きな場合には、当該せき機能を備えたスリットのみで排水可能である。
【符号の説明】
【００４２】
Ａ1 〜Ａ5 ：貯水タンク
Ｂ1 〜Ｂ5 ：鉢支持容器
Ｃ1,Ｃ3,Ｃ4,Ｃ5 ：給水部材
Ｃ1a, Ｃ3a, Ｃ4a：給水部材の鉢支持容器内配置部分
Ｃ1b, Ｃ3b, Ｃ4b：給水部材の空中露出部分
Ｇ：窓ガラス
Ｈ1 〜Ｈ5 ：底面給水タンク
Ｋ，Ｋ’：植木鉢
Ｗ1 ：貯水タンクの貯水部
Ｗ2 ：鉢支持容器の貯水部
１：貯水タンク部
２：鉢支持容器収容部
６：せき機能を備えたスリット
６ａ：スリットの残存空隙部
７：排水孔
１１，３１，３１’：排水筒部
１１ａ，３１ａ：上方突出部
１２，２３，３２：せき機能を有しないスリット
３４：貯水空間部
【図１】
2010268717.tif 000003
【図２】
2010268717.tif 000004
【図３】
2010268717.tif 000005
【図４】
2010268717.tif 000006
【図５】
2010268717.tif 000007
【図６】
2010268717.tif 000008
【図７】
2010268717.tif 000009
【図８】
2010268717.tif 000010
【図９】
2010268717.tif 000011
【図１０】
2010268717.tif 000012
【図１１】
2010268717.tif 000013